(57)【特許請求の範囲】
【請求項１】
一対の電極端子を有するバッテリーセルと、
該バッテリーセルの各電極端子に電気接続された回路基板と、
前記回路基板に電気接続されたコンデンサと、
前記回路基板に設けられ、バッテリーセル及びコンデンサの充電・放電を制御する電子部品と、
前記回路基板に電気接続され、前記バッテリーセル及び前記コンデンサから外部に電力を供給するための外部接続端子部と、
これら回路基板及びコンデンサを被覆すると共に、前記バッテリーセルに一体的に固定させる固定部とを備えることを特徴とするバッテリー。
【請求項２】
前記外部接続端子部が、前記バッテリーセルから電力を供給するためのセル端子と、前記コンデンサから電力を供給するためのコンデンサ端子とを備えることを特徴とする請求項１に記載のバッテリー。
【請求項３】
前記固定部は樹脂モールド部であることを特徴とする請求項１又は請求項２に記載のバッテリー。
【請求項４】
請求項１から請求項３のいずれか１項に記載のバッテリーと、
前記外部接続端子部に電気接続される携帯機器本体と、
前記携帯機器本体に設けられ、前記コンデンサからの電力によって外方に閃光を照射する照明部とを備えることを特徴とする携帯電子機器。
【発明の詳細な説明】
【技術分野】
【０００１】
この発明は、バッテリー及びこれを搭載する携帯電話機、ＰＤＡ（Personal Digital Assistants）、デジタルカメラ等の携帯電子機器に関する。
【背景技術】
【０００２】
近年の携帯電話機やＰＤＡ、デジタルカメラ等の携帯電子機器には、暗所での撮影を可能とするストロボ装置（照明部）と、携帯電子機器を構成する携帯機器本体の内部に設けられ、ストロボ装置等の制御を行う各種電子部品と、ストロボ装置や各種電子部品に電力を供給するバッテリーが設けられている（例えば、特許文献１参照。）。従来、携帯電子機器に搭載されるストロボ装置としては、キセノン管を用いて光量の大きい閃光を発生させるものがある。そして、このようなストロボ装置を採用する場合には、携帯機器本体の内部に電気容量の大きいコンデンサを配置していた。
【特許文献１】特開２００１−３２０６２２号公報
【発明の開示】
【発明が解決しようとする課題】
【０００３】
しかしながら、上記従来の携帯電子機器において、ストロボ装置から閃光を発生させる際には、コンデンサから大電流が流れてノイズが発生しやすくなるため、携帯機器本体の内部に配された電子部品の誤動作を招く虞がある。特に、携帯電子機器が携帯電話機等のように無線手段を備える場合には、前述したノイズが無線通信に悪影響を及ぼすという問題がある。
また、コンデンサは携帯機器本体の内部に搭載する電子部品と比較して大型の部品となるため、携帯機器本体の内部における電子部品の配置設計が困難になるという問題がある。さらに、携帯電子機器の組立作業においては、作業者がコンデンサや各種電子部品を携帯電子機器の内部に組み込むが、この組立作業時にはコンデンサからの配線が外方に露出しているため、作業者は感電防止のためにコンデンサの配線に触れないように注意する必要があり、携帯電子機器の組立作業が面倒となる問題もある。
本発明の目的は、上述した事情に鑑みてなされたもので、コンデンサに基づく各種電子部品の誤動作を防止すると共に、携帯機器本体の内部における電子部品の配置設計や携帯電子機器の組立作業を容易とすることである。
【課題を解決するための手段】
【０００４】
上記課題を解決するために、この発明は以下の手段を提案している。
本発明に係るバッテリーは、一対の電極端子を有するバッテリーセルと、該バッテリーセルの各電極端子に電気接続された回路基板と、前記回路基板に電気接続されたコンデンサと、前記回路基板に設けられ、バッテリーセル及びコンデンサの充電・放電を制御する電子部品と、前記回路基板に電気接続され、前記バッテリーセル及び前記コンデンサから外部に電力を供給するための外部接続端子部と、これら回路基板及びコンデンサを被覆すると共に、前記バッテリーセルに一体的に固定させる固定部とを備えることを特徴とする。
【０００５】
また、本発明に係るバッテリーは、前記外部接続端子部が、前記バッテリーセルから電力を供給するためのセル端子と、前記コンデンサから電力を供給するためのコンデンサ端子とを備えることを特徴とする。
さらに、本発明に係るバッテリーは、前記固定部が樹脂モールド部からなることを特徴とする。
【０００６】
また、本発明に係る携帯電子機器は、前記バッテリーと、前記外部接続端子部に電気接続される携帯機器本体と、前記携帯機器本体に設けられ、前記コンデンサからの電力によって外方に閃光を照射する照明部とを備えることを特徴とする。
【発明の効果】
【０００７】
本発明によれば、コンデンサ及び回路基板とバッテリーセルとを一体的に固定すると共に、コンデンサと回路基板とを電気的に接続することにより、コンデンサと回路基板とを相互に隣接して配することができ、コンデンサから回路基板までの間の電気的な配線距離を短くできる。したがって、コンデンサから回路基板に大電流が流れた際に生じるノイズの発生を抑制でき、バッテリーや携帯電子機器に設けられる各種電子部品の誤動作を防止できる。特に、携帯電子機器が無線手段を有する場合には、このノイズによって無線通信に不具合が生じることを防止できる。
【０００８】
また、コンデンサはバッテリーセルに一体的に固定されているため、携帯機器本体にはバッテリーを収容するスペースを設けておけばよい。すなわち、コンデンサを携帯機器本体の内部に組み込む必要がなくなるため、携帯機器本体の内部における電子部品の配置設計を容易に行うことができる。
さらに、コンデンサはバッテリーセルに一体的に固定されているため、各種電子部品を携帯機器本体の内部に組み込む際に、コンデンサを携帯機器本体の内部に組み込む必要が無くなり、携帯電子機器の組立作業を容易に行うこともできる。
【発明を実施するための最良の形態】
【０００９】
図１から図４は本発明に係る一実施形態を示している。図１に示すように、この実施形態に係るバッテリー１は、携帯電話機に装着して使用するものであり、平面視略矩形に形成された板状のバッテリーセル３と、バッテリーセル３の厚さ方向に沿う側面３ａに配された回路基板５と、回路基板５に電気接続されたコンデンサ７及び接続端子部（外部接続端子部）９と、これら回路基板５、コンデンサ７及び接続端子部９を被覆し、バッテリーセル３の側面３ａ，３ｂ，３ｃに固着された樹脂モールド部１１とを備えている。
バッテリーセル３の側面３ｂには、その中央に突出状態に負極端子（電極端子）３ｄが配置されており、その他の表面が正極端子（電極端子）となっている。なお、突出した負極端子３ｄは、側面３ｂに対して電気的に絶縁されている。
【００１０】
回路基板５は、バッテリーセル３及びコンデンサ７の充電・放電を制御するための電子部品と、バッテリーセル３の各電極端子と電気的に接続するためのランド部（いずれも不図示）とを備えており、バッテリーセル３の側面３ａに固定されている。各ランド部には導線からなる２本の接続部材１３の一端がそれぞれ取り付けられており、各接続部材１３の他端は、バッテリーセル３の各電極端子に取り付けられている。
回路基板５の表面には、コンデンサ７及び接続端子部９が配されている。コンデンサ７は、導線からなる２本の接続部材１５を介して回路基板５と電気的に接続されている。
【００１１】
接続端子部９は、回路基板５を配したバッテリーセル３の側面３ａ側に位置する樹脂モールド部１１から外方に露出している。図２に示すように、外方に露出した接続端子部９の表面には、バッテリーセル３から携帯電話機を構成する端末本体（後述）に電力を供給するための一対のセル端子９ａ，９ｂと、コンデンサ７から端末本体に電力を供給するための一対のコンデンサ端子９ｃ，９ｄと、検出端子９ｅとが隣接して設けられている。なお、検出端子９ｅは、セル端子９ａ，９ｂ及びコンデンサ端子９ｃ，９ｄが後述する携帯電話機のコネクタ部に電気接続されていることを検出するものである。すなわち、検出端子９ｅが、セル端子９ａ，９ｂやコンデンサ端子９ｃ，９ｄが電気接続されていないことを検出した場合には、バッテリーセル３及びコンデンサ７から電力が供給されないようになっている。
このバッテリー１においては、図３に示すように、バッテリーセル３に対してコンデンサ７、電解コンデンサ１７及び電池異常検出回路１８がセル端子９ａ，９ｂ、コンデンサ端子９ｃ，９ｄを介して並列に電気接続されている。
樹脂モールド部１１は、図１に示すように、所定の型に溶融樹脂を流し込む低圧成形により形成したものであり、バッテリーセル３と共に平面視略矩形の板状に形成されたバッテリー１を構成している。この樹脂モールド部１１は、例えば、ポリアミド樹脂又はポリウレタン樹脂からなる。樹脂モールド部１１は、バッテリーセル３に固定した回路基板５、コンデンサ７、接続端子部９及び接続部材１３，１５を包み込むと共に、これらの各隙間を埋めている。なお、回路基板５を配したバッテリーセル３の側面３ａ側に位置する樹脂モールド部１１には、段部１１ａが形成されている。
【００１２】
以上のように構成されたバッテリー１は、図４に示すように、内部に出し入れ自在にバッテリー１を収容可能な端末本体（携帯機器本体）２１、及び端末本体２１に装着したバッテリー１を覆い隠す蓋体２３と共に携帯電話機Ｋを構成している。
端末本体２１は、相互に重ね合わせ可能な板状の第１の筐体２７および第２の筐体２９を、ヒンジ部（連結手段）３１により互いに折り畳み自在に連結してなるものである。第１の筐体２７の内面２７ａには、通話キー、終話キー等の各種の押圧可能な操作キーからなる操作部と、通話用のマイクロフォン（いずれも不図示）とが設けられている。第２の筐体２９の内面２９ａには、各種情報を表示する表示部と、通話用のスピーカー（いずれも不図示）とが設けられている。また、第１の筐体２７には、無線通信用のアンテナ３３が設けられている。
【００１３】
内面２７ａと反対側に位置する第１の筐体の外面２７ｃには、バッテリー１を収容する平面視略矩形状のバッテリー収容部３５と、被写体を撮影するための撮像部３７と、暗い場所において撮影する際に被写体を照らす撮影用の照明部３９とが設けられている。
バッテリー収容部３５は、第１の筐体２７の外面２７ｃから内方に窪んで形成されている。このバッテリー収容部３５には、接続端子部９の各端子に接触させる複数の端子４１ａを備えたコネクタ部４１が設けられている。コネクタ部４１の各端子４１ａは、撮像部３７や照明部３９、端末本体２１に設けられた各種電子部品に電気接続されている。
【００１４】
このコネクタ部４１は、バッテリー収容部３５の一部を埋めるように設けられており、バッテリー１を収容した状態においてバッテリー１の段部１１ａがコネクタ部４１に当接するようになっている。したがって、バッテリー１をバッテリー収容部３５に収容する際には、この段部１１ａを目印としてバッテリー収容部３５に対するバッテリー１の挿入方向を容易に認識できる。
なお、このバッテリー収容部３５は、バッテリー１を収容した状態において、第１の筐体２７の厚さ方向に沿うバッテリー収容部３５の側面及びコネクタ部３９の側面が、バッテリー１の厚さ方向に沿う各側面や段部１１ａに接触し、バッテリー１が携帯機器本体２１の厚さ方向に直交する方向に移動できないように形成されている。また、このバッテリー収容部３５の開口部は、バッテリー１を収容した状態で蓋体２３により閉塞されるようになっている。
【００１５】
撮像部３７は、被写体からの光を受光して、光の明暗に比例した電気信号を出力することにより被写体の撮影を行う、所謂ＣＣＤ（Charge-Coupled Device）から構成されている。この撮像部３７において撮影された映像は、前述した表示部において視認することができる。照明部３９は、光量の大きい閃光により被写体を照らすキセノン管フラッシュから構成されており、撮影する際にバッテリー１のコンデンサ７に充電された電力を用いて発光するものである。
【００１６】
上記のように、このバッテリー１及び携帯電話機Ｋによれば、バッテリーセル３と回路基板５及びコンデンサ７とを一体的に固定すると共に、回路基板５とコンデンサ７とを相互に隣接して配しているため、接続部材１５の配線距離を短くできる。したがって、コンデンサ７から回路基板５に大電流が流れた際に生じるノイズの発生を抑制でき、バッテリー１や携帯電話機Ｋに設けられる各種電子部品の誤動作を防止できる。特に、このノイズによって無線通信に不具合が生じることを防止できる。
【００１７】
また、コンデンサ７はバッテリーセル３に一体的に固定されているため、端末本体２１にはバッテリー１を収容するバッテリー収容部３５を設けておけばよい。すなわち、コンデンサ７を端末本体２１の内部に組み込む必要がなくなるため、端末本体２１の内部における電子部品の配置設計を容易に行うことができる。さらに、コンデンサ７はバッテリーセル３に一体的に固定されているため、各種電子部品を端末本体２１の内部に組み込む際に、コンデンサ７を端末本体２１の内部に組み込む必要が無くなり、携帯電話機Ｋの組立作業を容易に行うこともできる。
【００１８】
また、セル端子９ａ，９ｂ及びコンデンサ端子９ｃ，９ｄを互いに隣接して配置することにより、１つの接続端子部９をバッテリー１に設けるだけでよいため、バッテリー１の小型化を図ることができる。
さらに、樹脂モールド部１１により回路基板５、コンデンサ７、接続端子部９、接続部材１３，１５の各隙間を埋めることにより、コンデンサ７から大電流が流れる際に生じるノイズの発生を確実に防止できる。また、前記隙間を埋めることにより耐防水性の向上を図ることができるため、回路基板５とコンデンサ７との間で漏電や電気的な短絡が発生することを確実に防止でき、安全性の向上を図ることができる。さらに、樹脂モールド部１１により前記隙間を埋めることにより、落下衝撃等の外力に対する耐久性の向上も図ることができる。
また、コンデンサ７は樹脂モールド部１１により被覆されているため、バッテリー１を端末本体２１に取り付ける際には、コンデンサの配線に触れることを確実に防止でき、端末本体２１に対するバッテリー１の取付作業を容易に行うことができる。
【００１９】
なお、上記の実施形態においては、樹脂モールド部１１により回路基板５、コンデンサ７、接続端子部９、接続部材１３，１５を包み込むと共に、これらの各隙間を埋めるとしたが、漏電、耐水性能、耐衝撃性能を考慮しない場合にはこれに限らず、少なくとも回路基板５、コンデンサ７、接続端子部９、接続部材１３，１５を被覆すると共にバッテリーセル３に一体的に固定していればよい。すなわち、例えば、バッテリーセル３に取付可能なケース部材（固定部）により回路基板５、コンデンサ７、接続端子部９及び接続部材１３，１５を被覆するとしても構わない。また、例えば、回路基板５、接続端子部９及び接続部材１３を樹脂モールド部により包み込み、コンデンサ７のみを前記樹脂モールド部に対して取付可能なケース部材（固定部）で被覆するとしてもよい。
【００２０】
また、接続端子部９は、バッテリーセル３に一体的に固定されるとしたが、これに限ることはなく、少なくとも回路基板５に電気的に接続されていればよい。すなわち、接続端子部９は、例えば、樹脂モールド部や前述のケース部材の外側に配され、ケーブルを介して回路基板５に電気接続されるとしても構わない。ただし、この構成の場合には、端末本体２１のバッテリー収容部３５にケーブルも収容させるように構成することが好ましい。
さらに、バッテリーセル３と回路基板５とを電気接続する接続部材１３、及び、コンデンサ７と回路基板５とを接続する接続部材１５は導線から形成されるとしたが、これに限ることはなく、例えば、導電性を有する板状の部材から形成されるとしてもよい。
【００２１】
また、携帯電話機Ｋは、折り畳み可能な２つの筐体から構成されるとしたが、これに限ることはなく、例えば、各筐体の厚さ方向に重ね合わせ可能、かつ、厚さ方向に延びる基準軸線Ｌ１を中心として相互に回動可能な２つの筐体から構成してもよいし、１つの筐体から構成されるとしても構わない。
さらに、バッテリー１は携帯電話機Ｋに設けられるものとして説明したが、携帯電話機Ｋに限ることはなく、少なくとも閃光を照射する照明部を備えた携帯電子機器に設けられるものであればよい。この携帯電子機器には、携帯電話機やＰＤＡ等の携帯端末装置だけではなく、デジタルカメラ、スチルカメラ、ストロボ装置単体等も含まれる。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２２】
【図１】この発明の一実施形態に係るバッテリーを示す斜視図である。
【図２】図１のバッテリーにおいて、樹脂モールド部から露出する接続端子部を示す側面図である。
【図３】図１のバッテリーにおいて、各部の電気接続の一例を示す回路図である。
【図４】この発明の一実施形態に係る携帯電話機を、端末本体と、バッテリーと、蓋体とに分離した状態を示す概略斜視図である。
【符号の説明】
【００２３】
１  バッテリー
３  バッテリーセル
３ｄ  負極端子（電極端子）
５  回路基板
７  コンデンサ
９  接続端子部（外部接続端子部）
９ａ，９ｂ  セル端子
９ｃ，９ｄ  コンデンサ端子
９ｅ  検出端子
１１  樹脂モールド部（固定部）
１７  電解コンデンサ
１８  電池異常検出回路
２１  端末本体（携帯機器本体）
３９  照明部
Ｋ  携帯電話機（携帯電子機器）
【図１】
0004767502.tif 000002
【図２】
0004767502.tif 000003
【図３】
0004767502.tif 000004
【図４】
0004767502.tif 000005